(57)【要約】【課題】  本発明は、ソフトな風合と表面品位、さらには密着性およびズレ防止性に優れた新規な腕章を提供せんとするものであり、より具体的には、ソフトな風合いと表面品位を有し、安全ピンやクリップなどによって固定化する必要が無い、巻き付けるだけで固定することができるシンプルな腕章を提供せんとするものである。【解決手段】  本発明の腕章は、帯状布帛で構成されてなる腕章において、該帯状布帛の少なくとも裏面が、０．７〜０．００００１デシテックスの超極細合成繊維と５．０〜０．１デシテックスのカットパイルとで構成されていることを特徴とするものである。【選択図】なし【特許請求の範囲】
【請求項１】
帯状布帛で構成されてなる腕章において、該帯状布帛の少なくとも裏面が、０．７〜０．００００１デシテックスの超極細合成繊維と５．０〜０．１デシテックスのカットパイルとで構成されていることを特徴とする腕章。
【請求項２】
該帯状布帛が、不織布、編地および織物生地から選ばれた少なくとも１種の組織で構成されているものである請求項１に記載の腕章。
【請求項３】
該帯状布帛の少なくとも裏面が、編地である請求項１または２に記載の腕章。
【請求項４】
該編地が、カットパイル編地である請求項３に記載の腕章。
【請求項５】
該カットパイル糸がマルチフィラメント糸からなる請求項１〜４のいずれかに記載の腕章。
【請求項６】
該カットパイルが、５〜０．５ｍｍの長さを有するものである請求項１〜５のいずれかに記載の腕章。
【請求項７】
該カットパイルを構成するカットパイル糸１本当りの構成繊維本数が２〜２００本である請求項１〜６のいずれかに記載の腕章。
【請求項８】
該カットパイル糸が、該帯状布帛の布帛全重量に対し、５〜５０重量％含まれるものである請求項１〜７のいずれかに記載の腕章。
【請求項９】
該腕章の表面が、着色加工、模様状加工および模様状布帛の積層加工から選ばれた少なくとも１種の加工が施されているものである請求項１〜８のいずれかに記載の腕章。
【請求項１０】
該模様状加工が、印刷である請求項９に記載の腕章。
【請求項１１】
該印刷が、平滑化された表面に施されたものである請求項１０に記載の腕章。
【請求項１２】
該模様状布帛が、着色人工皮革である請求項９に記載の腕章。
【請求項１３】
該模様状布帛が、模様状に裁断された布帛片で構成されたものである請求項９または１２に記載の腕章。
【発明の詳細な説明】
【技術分野】
【０００１】
本発明は、ソフトな風合、密着性およびズレ防止性に優れた腕章に関するものである。
【背景技術】
【０００２】
従来、腕章は、フィルムや厚地の織編物などを素材として形成されたものが使用されている。すなわち、筒状にした腕章に腕を通し所定位置にまで引き上げ、もしくは帯状の腕章を腕の所定位置に巻き付けて筒状にしていたが、このような筒状もしくは筒状にした腕章は衣服の上から腕にはめているだけではずり落ちることが多く、安全ピンやクリップなどで衣服に固定する必要があった。
【０００３】
しかし、冬場は厚手の衣服を着用しているため問題は少ないが、夏場は薄手シャツなどの上にはめることが多く、その場合に安全ピンで肌を傷めてしまったり、また衣服の生地も薄いために、行動中に腕章がどこかに引っかかったりすると安全ピンやクリップによる固定部分もしくは衣服が破けてしまうことがあった。
【０００４】
このような問題を解決するために、例えば伸縮性の固定帯を有する腕章（例えば特許文献１参照。）や固定用のゴム紐を有する腕章（例えば特許文献２参照。）、面状ファスナーによって固定する腕章（例えば特許文献３参照。）等が開示されている。しかし、いずれも腕の所定位置に固定するために、安全ピンやクリップをそれ以外の別の手段に置き換えたものにすぎず、構成が複雑になったり、コスト高を招くという問題があり、このような特別の手段なしで腕の所定位置に密着する腕章が望まれていた。
【０００５】
また、フィルムを素材とした腕章は防水性や防汚性、強度には優れるが、風合いが全くなく肌触りの悪いものであり、また厚手の織編物を素材としたものも、通常は総繊度の大きい合成繊維で構成されているのが主流で、場合によっては木綿などの天然繊維が含まれているものがあるものの、風合は粗硬で肌触りの悪いものでしかなかった。
【０００６】
したがって、ソフトな風合と表面品位、密着性、安全性に優れた腕章は、いまだ見られなかったのが現状である。
【特許文献１】特開２００３−１５９１０４号公報
【特許文献２】特開平９−２８１８９５号公報
【特許文献３】実開平７−２９５７０号公報
【発明の開示】
【発明が解決しようとする課題】
【０００７】
本発明は、かかる従来技術の背景に鑑み、ソフトな風合と表面品位、さらには密着性およびズレ防止性に優れた新規な腕章を提供せんとするものであり、より具体的には、ソフトな風合いと表面品位を有し、安全ピンやクリップなどによって固定化する必要が無い、巻き付けるだけで固定することができるシンプルな腕章を提供せんとするものである。
【課題を解決するための手段】
【０００８】
本発明は、かかる課題を解決するために、次のような手段を採用するものである。すなわち、本発明の腕章は、帯状布帛で構成されてなる腕章において、該帯状布帛の少なくとも裏面が、０．７〜０．００００１デシテックスの超極細合成繊維と５．０〜０．１デシテックスのカットパイルとで構成されていることを特徴とするものである。その好ましい態様としては、
（１）該帯状布帛が、不織布、編地および織物生地から選ばれた少なくとも１種の組織で構成されているものであり、さらに好ましくは編地であり、その中でもカットパイル編地であり、
（２）該カットパイルがマルチフィラメント糸で構成されているものであり、
（３）該カットパイルが５〜０．５ｍｍの長さで構成されているものであり、
（４）該カットパイル糸１本当りの構成繊維本数が２００〜２本以上であり、
（５）該カットパイル糸が、該帯状布帛の布帛全重量に対し、５０〜５重量％含むものであり、
（６）該腕章の表面が、着色加工、模様状加工および模様状布帛の積層加工から選ばれた少なくとも１種の加工が施されているものであり、
（７）さらに、該模様状加工が、印刷であり、その印刷が、平滑化された表面に施されたものであり、該模様状布帛が、着色人工皮革であり、該模様状布帛が、模様状に裁断されたものであることなどがあげられる。
【発明の効果】
【０００９】
本発明によれば、ソフトな風合と表面品位、さらには密着性およびズレ防止性に優れた腕章を提供することができるので、例えば夏場の薄手の衣服の上から着用しても、チクチク感もなく安全で、ピンで肌や衣服を傷付けることのない腕章を提供することができる。
【発明を実施するための最良の形態】
【００１０】
本発明は、前記課題、つまりソフトな風合と表面品位、さらには密着性およびズレ防止性に優れた新規な腕章を提供せんとするものであり、より具体的には、ソフトな風合いと表面品位を有し、安全ピンやクリップなどを用いて取り付ける必要が無い、単に巻き付けるだけで固定することができるシンプルな腕章について、鋭意検討し、該腕章の裏面を構成する布帛として、単糸の太さが５〜０．１デシテックスの合成繊維で構成されているカットパイルを有するものを用いて構成してみたところ、かかる課題を一挙に解決することを究明したものである。
【００１１】
腕章は、例えば、喪に服する意味で黒色、安全を意味する緑十字、救護を意味する赤十字、さらにサッカーなどの主将を意味する黄色の着色表面や模様状表面を有するもので、これによって、腕章を付けた人の意志を表現するものである。しかし、これら従来の腕章では、前記したように安全ピンやクリップなどによって取り付け、固定しなければならないという面倒くさい操作が必須であって、これが腕章を付ける人の苦痛にもなっていたものであり、また、折角付けてもズリ下がって、みっともなく、だらしのない腕章を付けていたという経験をした御仁も多々おられるものと推察する。
【００１２】
本発明は、かかる従来腕章の課題をみごとに解決したものである。すなわち、かかる腕章の裏面を特定な繊維構造にしたもの、つまり、その少なくとも裏面が、単繊維繊度が０．７〜０．００００１デシテックスの超極細合成繊維と単繊維繊度５．０〜０．１デシテックスのカットパイルで構成された帯状布帛で構成したものである。
【００１３】
本発明の腕章の特徴は、その裏面をカットパイルを有する繊維構造とした点にあり、かくすることにより、該裏面に面投錨の機能を付与したものである。すなわち、通常の衣料、特にワイシャツ、半袖シャツやブラウス、背広、ドレスなど各種の外衣の大半は、紡績糸で構成されているものである。つまり、世の中の大半の外衣は紡績糸製布帛を縫製してつくられているものである。かかる外衣表面は、該紡績糸の短繊維端の突出した、つまり、面投錨の機能を有するものである。したがって、本発明の腕章の裏面を、かかる外衣表面に接触させると、面投錨効果によって、腕章が密着、固定されるのである。
【００１４】
かかる面投錨の機能を有する繊維構造は、腕章の裏面をカットパイルを有する繊維構造とすることである。かかるカットパイルを有する繊維構造としては、かかるカットパイルの単繊維繊度が、５〜０．１デシテックスの合成繊維で構成されていることが必須である。かかる合成繊維からなるカットパイルは、外衣表面の突起状物と引っ掛かり易い機能を有するものであり、密着性にも優れた性能を示す。かかる性質は、該合成繊維からなるカットパイルの数が多いほど高くて優れた性能を示すものである。
【００１５】
かかるカットパイルを有する繊維構造の裏面を構成する布帛としては、不織布、編地および織物生地から選ばれた少なくとも１種の組織であればよく、必要によりパンチング処理したり、揉み処理したものも使用することができる。これらの中でも編地であるのが、風合いや面投錨効果の上から特に好ましく採用される。
【００１６】
また、本発明において腕章の裏面を構成する布帛の地糸を形成する繊維の単繊維繊度が重要であり、単繊維繊度は０．００００１デシテックス以上、０．７デシテックス以下の超極細合成繊維で構成されていることが必要である。好ましくは０．０００１デシテックス以上、０．５デシテックス以下、より好ましくは０．００１デシテックス以上、０．２デシテックス以下のものを用いることでソフトな風合いが得られるのである。
【００１７】
本発明において、このような超極細合成繊維、すなわち０．７デシテックス以下の繊維は、たとえば下記に例示するような各種方法で製造することができ、これらのうちのいずれのものでも、またこれらの方法以外で製造されたものも本発明に使用することができる。
【００１８】
すなわち、一般に海島型複合繊維といわれる高分子相互配列体繊維による方法で作っても、あるいは、またさらにその島成分が海島型複合繊維といわれる高分子相互配列体繊維になっているものから作ってもよい。海成分は、溶剤や分解剤で分離してもよいし、Ａ、Ｂの２成分からなる剥離型の分割繊維のように分離してもよい。また、直接紡糸する方法においては、紡糸の設定条件を適宜厳しくして作ってもよい。また、さらに２成分以上からなる剥離型の分割繊維を使用して分離せしめて作ったものでもよい。いずれにしても、公知の超極細合成繊維の製造方法を適用することができる。
【００１９】
かかる超極細合成繊維は、腕章の少なくとも裏面を構成する布帛において、その構成繊維どうしの間隙で網目状のミクロスポイト構造もしくはミクロスポンジ構造というべき構造を形成するので、この構造が存在すると、本発明の腕章に非常にソフトな風合を与えると共に、さらに非常に効果的な密着性をも与えることになるものである。かかる網目状構造は、該布帛を揉み処理したり、さらにパンチング処理することにより、一層効果的に形成されるものである。
【００２０】
本発明の腕章において、さらに好ましい裏面としては、該裏面を構成する布帛として、編地を使用するのが好ましい。
【００２１】
以下、本発明の腕章を構成する帯状布帛として、編地を代表させて説明する。
【００２２】
かかる網目状のミクロスポイト構造もしくはミクロスポンジ構造を形成するためには、腕章の裏面を構成する編地の地糸を形成する繊維の単繊維繊度が非常に重要であり、単繊維繊度は０．００００１デシテックス以上、０．７デシテックス以下の超極細合成繊維を用いるのが肝要であり、好ましくは０．０００１デシテックス以上、０．５デシテックス以下、より好ましくは０．００１デシテックス以上、０．２デシテックス以下のものを用いることでソフトな風合いが得られるのである。
【００２３】
また、かかるカットパイルは単繊維繊度が０．１デシテックス以上、５．０デシテックス以下、好ましくは０．５デシテックス以上、３．０デシテックス以下、より好ましくは単繊維繊度が１デシテックス以上、２．０デシテックス以下で、長さは０．５ｍｍ以上５ｍｍ以下、好ましくは長さは１．０ｍｍ以上、３ｍｍ以下である。また、かかるカットパイル一本当たりの構成本数は、好ましくは２本以上、２００本以下、より好ましくは５本以上、１５０本以下であるのが、風合いと投錨効果の上からよい。かかるカットパイルは、該帯状布帛の全重量に対して、好ましくは５重量％以上、５０重量％以下、より好ましくは１０重量％以上、４０重量％以下のものを用いるのが、衣服表面への面投錨効果の上から良い。
【００２４】
かかるカットパイルの合成繊維は、フィラメントとステープルのいずれの態様で使用されてもよいが、フィラメント糸として使用される方が、スパン糸で使用される場合よりも繊維脱落が少なくなるので好ましい。
【００２５】
かかるカットパイル編物を形成する手段は、従来から知られている経編み組織または緯編み組織で構成されているものであれば、いずれも使用することができる。
【００２６】
具体的には、例えば、片面あるいは両面にループパイル組織を有する丸編、トリコット編、ラッセル編などの表面をシャーリング、バフィングなどでカットする方法、ダブルトリコットの間隙をカットする方法などで得られたカットパイル編物を使用することができる。
【００２７】
より好ましい様態としてはダブルトリコットの間隙をカットする方法で得られた編物が面投錨効果およびソフトな風合いと密着性が得られる点で好ましい。
【００２８】
さらに、詳しくは、例えば、ダブルトリコット編みにおいて、表面と裏面に極細化可能な繊維を配し、表裏面を繋ぐ糸（渡り糸）として５〜０．１デシテックスの繊維を用い、製編しながら渡り糸をカットすることでカットパイル編物を得た後、極細化可能な繊維を薬品で極細化することによって、ソフトな生地風合いを持った面投錨効果の高いカットパイル編物が得られるのである。
【００２９】
ここでいうカットパイル長は被測定カットパイルをピンセット等で引っ張って真直ぐに立たせたときの編地のベース部からの長さを測定したものであり、１０本の平均値である。
【００３０】
本発明の腕章の裏面は、繊維をカットパイル糸として用いた場合、カットパイル糸が三次元構造でシート表面を覆い、しかもパイル間及びパイルを構成する繊維間で極微細な孔を無数に構成するものとなり、前述ミクロスポイト構造もしくはミクロスポンジ構造を構成するものとなる。
【００３１】
かかる繊維には、多成分系繊維を用い製編織した後、該繊維の１成分を除去および／または分離することにより、繊維となすのが空隙が有効に得られるので好ましい。
【００３２】
１成分の除去方法は、溶剤処理による方法、弱アルカリ溶液による方法、酸処理とアルカリ処理を併用する方法、さらには熱水処理による方法などがある。これらは、多成分系繊維を形成するポリマーの種類により適宜の方法を選択して用いれば良い。
【００３３】
特に、単なる熱水（温度６０〜１２０℃、ｐＨ４〜７）のみによる処理方法は、木綿との混合、交編織物の場合の処理方法として好ましいものである。すなわち、木綿に実質的に何ら害を及ぼさずに、１成分を除去し化できるからである。
【００３４】
該ポリマーとしては、例えばテレフタル酸、イソフタル酸と５−ナトリウムスルホイソフタル酸の共重合ポリマーなどがある。
【００３５】
また、２成分以上からなる剥離型の分割繊維を使用して分離することにより０．７デシテックス以下の繊維となすには、例えば各種公知の方法が使用でき、例えば具体的にはベンジルアルコールを用いて分離処理する方法などが一般的な方法である。
【００３６】
超極細化処理は、多成分系繊維を地糸として用い製編織後、熱処理と同時または熱処理後、適宜の手段を用いて行うが、取り扱い性、工程通過性、ミクロスポイトもしくはミクロスポンジ構造の形成性から好ましいものである。なお、ここで言う熱処理とは、生機セット、中間セットなど１００℃以上の乾熱処理あるいは蒸熱処理、あるいは湯洗い、精練など６０℃以上の熱水処理のことであり、潜在捲縮糸を用いた場合は、捲縮を発現させるための乾熱、蒸熱あるいは熱水処理などを言うものである。
【００３７】
本発明におけるカットパイル糸構造を有する編地は、製編の前後において、親水加工、吸水処理、抗菌、防臭、衛生処理などがそれぞれ単独でまたは組合わされて行なわれることも好ましい。
【００３８】
さらに、カットパイル糸および／または地糸に親水基を導入した共重合繊維を用いたり、あるいは後加工による親水性を付与された繊維などを用いて製編することも好ましい。
【００３９】
かかる腕章の表面は、着色加工、模様状加工および模様状布帛の積層加工から選ばれた少なくとも１種の加工が施されているものである。たとえば着色加工は、通常の染色、たとえば地染めおよび捺染から選ばれた少なくとも１種が採用される。また、模様状加工の場合は、該表面を平滑化して、その上に印刷するのがよい。また、模様状布帛を積層したり切り張りすることも好ましく、たとえば、かかる布帛として、着色人工皮革や模様状に裁断されたものを積層することができる。
【００４０】
次に本発明の腕章の製造方法の一例について説明する。
【００４１】
まず、カットパイル糸構造を有する編地を前述の方法で製編する。かかる編地を腕章の形状に裁断する。編地が薄く腕章の形態が保持しにくい場合は、編地を複数枚重ねて縫製したり、低融点フィルムを溶着したりして、形態保持性を向上させてもかまわない。このとき、合成繊維で構成されたカットパイルを有する面が、腕章の裏面を構成するように配置することが重要である。そして必要により、腕章の表側に表示を施すが、表面をカレンダー加工などの平滑化処理した上にプリントしてなる表示であっても、他の印刷布帛等を積層してもかまわない。なお、表示を人工皮革を積層して構成すると形態保持性の向上にも寄与し、さらに手触りも向上するため、表示部を人工皮革を積層して構成することが好ましい。かかる人工皮革としては、例えば、東レ株式会社製”エクセーヌ”（登録商標）などがある。
【００４２】
腕章ははじめから筒状編成してもよいが、帯状布帛を筒状したものが好ましい。帯状のものを筒状にする場合、必要により、止め具を施してもかまわない。この場合の止め具としては面状投錨（面状ファスナー）が付けはずしが簡便で好ましい。この面状投錨は編地に縫製または接着する。
【００４３】
本発明の腕章は、ズレにくく落ちにくいので、安全ピンやクリップなどで衣服に固定する必要が無く、安全ピンやクリップに起因する怪我や衣服の破損をなくすことができ、特に安全活動時に着用する腕章としては絶好のものである。
【実施例】
【００４４】
以下に本発明を実施例にて説明するが、これらの実施例によって本発明が制約あるいは限定されるものではない。
【００４５】
なお、実施例中の密着性、風合の測定は、次の方法によった。
【００４６】
密着性:５名のパネラーによるモニターテストにより判定した。
【００４７】
風合:５名のパネラーによる触感判定した。
【００４８】
◎：非常に良好
○：良好
×：不良
＜実施例１＞
カットパイル糸となる渡り糸として、トータル繊度８２．５デシテックス、３６フィラメントのマルチフィラメント糸が２本合糸されたポリエチレンテレフタレート糸を用い、一方、ベースとなる地糸として、トータル繊度１３７．５デシテックス、２０フィラメントで、各フィラメント中の島成分本数が３６本、島／海比率（重量比）が７８/２２（海成分溶出後の島単糸繊度は０．１４３デシテックス）で、島成分がポリエチレンテレフタレート、海成分がポリスチレンからなる仮撚加工糸を用い、ダブルトリコット織機にて編物を製編し、間隙をカットして片面カットパイル編物を製編した。
【００４９】
この編物を８０℃で２０分間液流染色機中で熱処理を施した後、脱水乾燥を行なった。
【００５０】
次に、トリクロルエチレン液中でもみ処理を行ないながら液を交換しつつ、地糸の極細化処理を行ない、タンブル乾燥機でもみながら乾燥した。
【００５１】
こうして、カットパイル長が平均１．２ｍｍ、カットパイル糸１本当りの繊維の本数が７２本からなるカットパイル編物からなる編地を得た。
【００５２】
なお、カットパイル糸に用いた単繊維繊度２．３デシテックスの繊維の含有率は、編物全重量に対して３８重量％であった。
【００５３】
この編地を裏面に用い、表面に東レ株式会社製の人工皮革“エクセーヌ”（登録商標）からなる幅９０ｍｍ、長さ３９０ｍｍのサイズの白色帯状物を貼着し、その帯状物中心部に、緑色に染色した同じ人工皮革からなる緑十字の安全マークをウレタン系接着剤で張り合わせて安全腕章を作った。
【００５４】
この腕章の両端部に、市販のマジックテープ（登録商標）を貼り付け、このマジックテープ（登録商標）で、腕章を装着するようにした。
【００５５】
得られた安全腕章を、５人のパネラーに装着してもらい評価した結果、５人全員から装着し易く、非常にソフトで密着性に優れ、安全でずり落ちない優れた腕章であるとの評価を得た。
【００５６】
結果を表１に示す。
【００５７】
＜実施例２＞
ベースとなる地糸として、単繊維の海成分としてポリエステルの酸成分としてテレフタル酸と５−ナトリウムイソフタル酸の共重合体樹脂が２０重量％、島成分としてポリエチレンテレフタレート樹脂８０重量％となるように東レ株式会社製の複合紡糸機で紡糸／延伸してトータル繊度が１１０デシテックス、１８フィラメント（７０島／フィラメント）の海島型ポリエステル複合繊維を用い、編成した後、８０℃のアルカリ液で海成分を抜く以外は、実施例１と同様の方法で安全腕章を得た。
【００５８】
こうして、カットパイル長が平均１．５ｍｍ、地糸１本当りの繊維の本数が７２本からなるカットパイル編物からなる編地を得た。
【００５９】
なお、カットパイル糸に用いた単繊維繊度２．３デシテックスの繊維の含有率は、編物全重量に対して３０重量％であった。該腕章を５人のパネラーに装着してもらい評価した結果、５人全員から装着し易く、非常にソフトで密着性に優れ、安全で、ずり落ちない優れた腕章であるとの評価を得た。
【００６０】
結果を表１に示す。
【００６１】
＜比較例１＞
市販のビニール製の上部安全ピン付き安全腕章を装着し、実用評価してもらった。
【００６２】
その結果、装着時ズレ落ちないようにピン装着するため、一人では装着すると時々ピン先で皮膚を突き刺す危険があるため、もう一人の人に助けて貰って装着し、５人のパネラーで評価した結果、５人全員からピンによってズリ落ちることはないが重く、風合いが粗硬で密着性が全くなく、全員不快なものであるとの評価結果であった。また、ピンなしではずり落ちてしまい安定した装着が困難であった。
【００６３】
結果を表１に示す。
【００６４】
＜比較例２＞
市販のフェルト製ビニールカバー付きの上部安全ピン付き安全腕章を装着し、実用評価してもらった。
【００６５】
その結果、装着時ズレ落ちないようにピン装着するため、一人では装着すると時々ピン先で皮膚を突き刺す危険があるため、もう一人の人に助けて貰って装着し、５人のパネラーで評価した結果、５人全員からピンによってズリ落ちることはないが、重く、風合いは若干改良されているものの密着性が全くなく、全員不快なものであるとの評価結果であった。また、ピンなしでは落ちてしまい安定した装着が困難であった。
【００６６】
結果を表１に示す。
【００６７】
【表１】
2006130111.tif 000002